(57)【要約】【課題】タッチスクリーン又はマウスを使用する端末機における項目の選択方法を提供する。【解決手段】本発明のタッチスクリーン又はマウスを使用する端末機における項目の選択方法は、項目を表示する段階と、タッチによる移動又はマウスドラッグを行う経路を通る項目が選択又は選択解除される段階と、を有し、タッチによる移動又はマウスドラッグを行う経路を通る項目が選択又は選択解除される段階は、多重選択モード信号が発生することで多重選択モードに進入する段階を伴う。【選択図】図３
2012089115.tif 000002
【特許請求の範囲】
【請求項１】
タッチスクリーン又はマウスを使用する端末機における項目の選択方法であって、
項目を表示する段階と、
タッチによる移動又はマウスドラッグを行う経路を通る項目が選択又は選択解除される段階と、を有することを特徴とする方法。
【請求項２】
タッチによる移動又はマウスドラッグを行う経路を通る項目が選択又は選択解除される段階は、多重選択モード信号が発生することで多重選択モードに進入する段階を伴うことを特徴とする請求項１に記載の方法。
【請求項３】
前記多重選択モード信号は、
不特定タッチ領域又は不特定項目がタッチされ、該タッチされた時間が臨界値以上であると発生するか、
マウスカーソル領域の不特定領域又は不特定項目がクリックされ、該クリックされた時間が臨界値以上であると発生することを特徴とする請求項２に記載の方法。
【請求項４】
前記多重選択モード信号は、
不特定タッチ領域又は不特定項目が２回タッチされると発生するか、
マウスカーソル領域の不特定領域又は不特定項目が２回クリックされると発生することを特徴とする請求項２に記載の方法。
【請求項５】
前記タッチによる移動又はマウスドラッグを行う経路を通る項目が選択又は選択解除される段階は、
タッチによる移動又はマウスドラッグが選択解除された項目を通ると、該選択解除された項目は選択され、タッチによる移動又はマウスドラッグが選択された項目を通ると、該選択された項目は選択解除されることを特徴とする請求項２に記載の方法。
【請求項６】
前記多重選択モードは、
タッチによる移動又はマウスドラッグが画面の端に到達すると新たな項目を表示する画面にスクロールされ、
前記スクロールされた画面において、連続したタッチによる移動又はマウスドラッグが通る項目が選択又は選択解除されることを特徴とする請求項２に記載の方法。
【請求項７】
タッチスクリーン又はマウスを使用する端末機における項目の選択方法であって、
項目を表示する段階と、
連関選択モード信号に応じて連関選択モードを実行する段階と、
前記連関選択モードの実行に応じて項目を区分して選択する段階と、を有することを特徴とする方法。
【請求項８】
前記連関選択モード信号は、
不特定タッチ領域又は不特定項目がタッチされ、該タッチされた時間が臨界値以上であると発生するか、
マウスカーソル領域の不特定領域又は不特定項目がクリックされ、該クリックされた時間が臨界値以上であると発生することを特徴とする請求項７に記載の方法。
【請求項９】
前記連関選択モードの実行に応じて項目を区分して選択する段階は、
不特定項目と同じ連関因子を有する項目を選択することを含むことを特徴とする請求項７に記載の方法。
【請求項１０】
前記連関選択モードの実行に応じて項目を区分して選択する段階は、
項目を区分するメニュリストを表示し、該メニュリストから該当メニュが選択されると、該選択されたメニュに該当する項目が選択されることを特徴とする請求項７に記載の方法。
【請求項１１】
前記連関因子は、ファイル形式であることを特徴とする請求項９に記載の方法。
【請求項１２】
前記メニュは、画像、動画、テキスト、その他であることを特徴とする請求項１０に記載の方法。
【請求項１３】
タッチスクリーン又はマウスを使用する端末機における項目の選択方法であって、
項目を表示する段階と、
前記表示された項目のうち、関連する項目を抽出して表示する段階と、
前記抽出して表示した項目のうち、タッチによる移動又はマウスドラッグの経路を通る項目が選択又は選択解除される段階と、を有することを特徴とする方法。
【請求項１４】
前記表示された項目のうち、関連する項目を抽出して表示する段階は、
不特定項目と同じ連関因子を有する項目を表示することを特徴とする請求項１３に記載の方法。
【請求項１５】
前記表示された項目のうち、関連する項目を抽出して表示する段階は、
項目を区分するメニュリストを表示し、該メニュリストから該当メニュが選択されると、該選択されたメニュに該当する項目が表示されることを特徴とする請求項１３に記載の方法。
【請求項１６】
前記連関因子は、ファイル形式であることを特徴とする請求項１４に記載の方法。
【請求項１７】
前記メニュは、画像、動画、テキスト、その他であることを特徴とする請求項１５に記載の方法。
【請求項１８】
前記抽出して表示した項目のうち、タッチによる移動又はマウスドラッグの経路を通る項目が選択又は選択解除される段階は、
タッチによる移動又はマウスドラッグが選択解除された項目を通ると、該選択解除された項目は選択され、タッチによる移動又はマウスドラッグが選択された項目を通ると、該選択された項目は選択解除されることを特徴とする請求項１３に記載の方法。
【請求項１９】
前記表示された項目のうち、関連する項目を抽出して表示する段階は、
連関多重選択モード信号に応じて連関多重選択モードを実行する段階を伴うことを特徴とする請求項１３に記載の方法。
【請求項２０】
前記連関多重選択モード信号は、
不特定タッチ領域又は不特定項目がタッチされ、該タッチされた時間が臨界値以上であると発生するか、
マウスカーソル領域の不特定領域又は不特定項目がクリックされ、該クリックされた時間が臨界値以上であると発生することを特徴とする請求項１９に記載の方法。
【請求項２１】
タッチスクリーン又はマウスを使用する端末機における項目の選択装置であって、
項目を表示する出力部と、
タッチによる移動又はマウスドラッグを行う経路を通る項目を選択又は選択解除する制御部と、を有することを特徴とする装置。
【請求項２２】
タッチによる移動又はマウスドラッグを行う経路を通る項目を選択又は選択解除することは、多重選択モード信号が発生することで多重選択モードに進入することを伴うことを特徴とする請求項２１に記載の装置。
【請求項２３】
タッチスクリーン又はマウスを使用する端末機における項目の選択装置であって、
項目を表示する出力部と、
連関選択モード信号に応じて連関選択モードを実行し、該連関選択モードの実行に応じて項目を区分して選択する制御部と、を有することを特徴とする装置。
【請求項２４】
前記連関選択モード信号は、
不特定タッチ領域又は不特定項目がタッチされ、該タッチされた時間が臨界値以上であると発生するか、
マウスカーソル領域の不特定領域又は不特定項目がクリックされ、該クリックされた時間が臨界値以上であると発生することを特徴とする請求項２３に記載の装置。
【請求項２５】
タッチスクリーン又はマウスを使用する端末機における項目の選択装置であって、
項目を表示する出力部と、
前記表示された項目のうちの関連する項目を抽出して表示し、該抽出して表示した項目のうち、タッチによる移動又はマウスドラッグの経路を通る項目を選択又は選択解除する制御部と、を有することを特徴とする装置。
【請求項２６】
前記表示された項目のうちの関連する項目を抽出して表示することは、
不特定項目と同じ連関因子を有する項目を表示することを特徴とする請求項２５に記載の装置。
【発明の詳細な説明】
【技術分野】
【０００１】
本発明は、タッチスクリーン又はマウスを使用する端末機における項目の選択方法及び装置に関する。
【背景技術】
【０００２】
現在、電子通信産業の発達によって、移動通信端末機（セルラーフォン）、電子手帳、個人複合端末機などの携帯用端末機は現代社会の必需品となりつつあり、急速に変化する情報伝達の重要な手段となっている。
【０００３】
このような端末機が多機能化されていくにも拘わらず、使用者のニーズを満足させるには過負荷が生じるものである。例えば、使用者は、端末機から提供される入力装置を利用して、端末機に表示される項目のうちから所望の機能を有する項目を選択することができる。一般的に、タッチスクリーン又はキーパッド又はマウスを使用する端末機は、多数の項目を選択する方法として該当項目をその都度選択する方法を提供する。このような多数の項目を選択する方法は非効率的である。マウスを使用する端末機は、カーソル（ｃｕｒｓｏｒ）を利用して選択しようとする項目を含む領域を指定することで、多数の項目を選択することができる。しかし、この方法は指定された領域の中に選択が不必要な項目まで含まれる可能性があり、その不必要な項目をいちいち選択解除しなければならないため、非効率である。
【先行技術文献】
【特許文献】
【０００４】
【特許文献１】韓国特許出願公開第１０−２０１０−０１３７８６１号明細書
【発明の概要】
【発明が解決しようとする課題】
【０００５】
本発明は、上記従来の問題点に鑑みてなされたものであって、本発明の目的は、タッチスクリーン又はマウスを使用する端末機に表示される項目のうち、タッチによって移動する経路又はマウスでドラッグする経路にある多数の項目を容易に選択するための項目の選択方法及び装置を提供することにある。
【課題を解決するための手段】
【０００６】
上記目的を達成するためになされた本発明の一態様によるタッチスクリーン又はマウスを使用する端末機における項目の選択方法は、項目を表示する段階と、タッチによる移動又はマウスドラッグを行う経路を通る項目が選択又は選択解除される段階と、を有することを特徴とする。
【０００７】
上記目的を達成するためになされた本発明の他の態様によるタッチスクリーン又はマウスを使用する端末機における項目の選択方法は、項目を表示する段階と、連関選択モード信号に応じて連関選択モードを実行する段階と、前記連関選択モードの実行に応じて項目を区分して選択する段階と、を有することを特徴とする。
【０００８】
上記目的を達成するためになされた本発明の更に他の態様によるタッチスクリーン又はマウスを使用する端末機における項目の選択方法は、項目を表示する段階と、前記表示された項目のうち、関連する項目を抽出して表示する段階と、前記抽出して表示した項目のうち、タッチによる移動又はマウスドラッグの経路を通る項目が選択又は選択解除される段階と、を有することを特徴とする。
【０００９】
上記目的を達成するためになされた本発明の一態様によるタッチスクリーン又はマウスを使用する端末機における項目の選択装置は、項目を表示する出力部と、タッチによる移動又はマウスドラッグを行う経路を通る項目を選択又は選択解除する制御部と、を有することを特徴とする。
【００１０】
上記目的を達成するためになされた本発明の他の態様によるタッチスクリーン又はマウスを使用する端末機における項目の選択装置は、項目を表示する出力部と、連関選択モード信号に応じて連関選択モードを実行し、該連関選択モードの実行に応じて項目を区分して選択する制御部と、を有することを特徴とする。
【００１１】
上記目的を達成するためになされた本発明の更に他の態様によるタッチスクリーン又はマウスを使用する端末機における項目の選択装置は、項目を表示する出力部と、前記表示された項目のうちの関連する項目を抽出して表示し、該抽出して表示した項目のうち、タッチによる移動又はマウスドラッグの経路を通る項目を選択又は選択解除する制御部と、を有することを特徴とする。
【発明の効果】
【００１２】
本発明の端末機における項目の選択方法及び装置によれば、多数の項目を容易に選択することができる。
【図面の簡単な説明】
【００１３】
【図１】本発明の一実施形態による端末機の斜視図である。
【図２】本発明の一実施形態による端末機のブロック構成図である。
【図３】本発明の一実施形態による端末機における多数の項目を選択する多重選択モードの手順を示す順序図である。
【図４】本発明の一実施形態によるタッチスクリーンを使用する端末機における多数の項目を選択する多重選択モードの手順を示す順序図である。
【図５】本発明の一実施形態によるマウスを使用する端末機における多数の項目を選択する多重選択モードの手順を示す順序図である。
【図６】本発明の他の実施形態によるタッチスクリーン又はマウスを使用する端末機における多数の項目を選択する連関選択モードの手順を示す順序図である。
【図７】本発明の他の実施形態によるタッチスクリーン又はマウスを使用する端末機における多数の項目を選択する連関選択モードの手順を示す順序図である。
【図８】本発明の他の実施形態によるタッチスクリーン又はマウスを使用する端末機における多数の項目を選択する連関多重選択モードの手順を示す順序図である。
【図９】本発明の他の実施形態によるタッチスクリーン又はマウスを使用する端末機における多数の項目を選択する連関多重選択モードの手順を示す順序図である。
【図１０】図３で説明した多重選択モードの実施例を示す図である。
【図１１】図４で説明した多重選択モードの実施例を示す図である。
【図１２】図６で説明した連関選択モードの実施例を示す図である。
【図１３】図７で説明した連関選択モードの実施例を示す図である。
【図１４】図８及び図９で説明した連関多重選択モードの実施例を示す図である。
【発明を実施するための形態】
【００１４】
以下、本発明を実施するための形態の具体例を、図面を参照しながら詳細に説明する。下記で本発明を説明するに当たって、関連する公知機能又は構成に対する具体的な説明が本発明の要旨を不明確にする恐れがあると判断される場合には、その詳細な説明を省略する。そして、後述する用語は、本発明における機能を考慮して定義したものであり、使用者、操作者の意図又は慣例などによって異なり得る。従って、その定義は、本明細書全般にかかる内容に基づいてなされるべきである。
【００１５】
以下、本発明は、端末機が表示する項目のうち、多数の項目を容易に選択するための方法及び装置を記述する。
【００１６】
図１は、本発明の一実施形態による端末機の斜視図である。
【００１７】
図１を参照すると、端末機は、データを出力するＬＣＤなどの表示手段を具備する。また、端末機は、キーパッド、タッチスクリーン、マウスなどの入力手段を有してもよい。図示したように、セルラーフォンはタッチスクリーンを具備し、コンピュータはマウスを具備する。セルラーフォン及びコンピュータは、表示手段に項目を表示する。項目は、複数の処理プログラムや符号をリスト化したものであり、このようなリスト化した項目のうちから該当項目を選択する方式は、命令入力方式より操作性が優れている。特に、本発明の一実施形態によるタッチスクリーンを利用した項目の選択方法は、表示される項目のうち、タッチによる移動を行う項目が選択される。このような項目の選択方法のために多重選択モードが伴うべきであり、このような多重選択モードは、多重選択モード信号が発生することで実行される。例えば、タッチスクリーンでいずれか一つの項目を長く押す多重選択モード信号が発生すると、多重選択モードが実行され得る。更に、本発明の一実施形態によるタッチスクリーン又はマウスを使用する項目の選択方法は、表示された項目のうち、同じ連関因子（例：ファイル形式など）を有する項目を選択してもよい。このような項目の選択方法のために連関選択モードが伴うべきであり、このような連関選択モードは、連関選択モード信号が発生することで実行される。更に、本発明は複数の項目のうちの同じ連関因子を有する項目を選別し、この選別された項目から再び選択され得る連関多重選択モードを行ってもよい。連関多重選択モードは、連関多重選択モード信号が発生することで実行される。
【００１８】
図２は、本発明の一実施形態による端末機のブロック構成図である。
【００１９】
図２を参照すると、端末機２００は、データを入力する入力部２１０と、データを出力する出力部２２０と、各種データをセーブする貯蔵部２３０と、全般的な制御を行う制御部２４０と、を含む。入力部２１０は、タッチスクリーン、キーパッド、マウス、マイクロフォンなどの入力手段を使用してもよい。出力部２２０は、画像を出力する画像出力部と、音声を出力する音声出力部と、を含む。画像出力部は、ＬＣＤ（Ｌｉｑｕｉｄ  Ｃｒｙｓｔａｌ  Ｄｉｓｐｌａｙ）などの表示手段を使用してもよく、音声出力部は、スピーカ、レシーバなどの手段を使用してもよい。貯蔵部２３０は、操作に必要な各種プログラム及びデータをセーブする。制御部２４０は、システム全体を制御し、入力部２１０から資料を受けて処理した後、その結果を出力部２２０に送る一連の過程を制御して調整することを行う。
【００２０】
出力部２２０は、制御部２４０の制御下で項目を表示する。制御部２４０は、入力部２１０で発生した該当信号に応じて、多重選択モード又は連関選択モード又は連関多重選択モードを行うようにする。これらのモードで、制御部２４０は、入力部２１０で発生する選択信号に応じて多数の項目が選択されることを確認する。
【００２１】
特に、上述したように、本発明の一実施形態によるタッチスクリーンを利用した項目の選択方法は、表示される項目のうち、タッチによる移動経路にある項目が選択される。また、本発明の一実施形態によるマウスを利用した項目の選択方法は、ドラッグ経路にある項目が選択される。追加的に、タッチによる移動又はマウスドラッグが選択解除された項目を通ると、該当項目は再び選択され、タッチによる移動又はマウスドラッグが既に選択された項目を通ると、該当項目は再び取り消されてもよい。
【００２２】
また、更に、本発明の一実施形態によるタッチスクリーン又はマウスを使用する項目の選択方法は、表示された項目のうち、同じ連関因子（例：ファイル形式など）を有する項目を選択してもよい。
【００２３】
更に、本発明の一実施形態によるタッチスクリーン又はマウスを使用する項目の選択方法は、表示された項目のうち、同じ連関因子（例：ファイル形式など）を有する項目を選択し、この項目のうちからタッチによる移動又はマウスドラッグの際に通る項目を再び選択するか取り消してもよい。
【００２４】
図３は、本発明の一実施形態による端末機における多数の項目を選択する多重選択モードの手順を示す順序図である。
【００２５】
図３を参照すると、ステップ３０１で、制御部２４０は、項目が表示されるように制御する。
【００２６】
次に、ステップ３０３で、制御部２４０は、多重選択モード信号が発生するのかを確認する。
【００２７】
多重選択モード信号が発生したことを確認すると、ステップ３０５で、制御部２４０は、多重選択モードが実行されるように制御する。
【００２８】
多重選択モード実行されると、ステップ３０７で、制御部２４０は、タッチによる移動又はマウスドラッグがあるのかを確認する。
【００２９】
タッチによる移動又はマウスドラッグが確認されると、ステップ３０９で、制御部２４０は、タッチによる移動又はマウスドラッグの経路を通る項目を選択表示する。
【００３０】
次に、制御部２４０は、ステップ３１１に進行し、タッチによる移動又はマウスドラッグが終了されるのかを確認する。
【００３１】
タッチによる移動又はマウスドラッグが終了すると、ステップ３１３で、制御部２４０は、選択表示された項目が選択されたことを確認し、多重選択モードを終了する。
【００３２】
多重選択モード信号は、表示された項目のうち、不特定の項目の長押し、即ち不特定項目がタッチされ、タッチされた時間が臨界値以上であれば発生し得る。次に、多重選択モードに転換された状態で、連続したタッチによる移動又は新たなタッチによる移動を行うと、該当項目を選択することができる。また、多重選択モード信号は、表示された項目のうち、不特定の項目を長押し、即ちいずれか一つの項目でマウスカーソルが臨界値時間以上押されると発生し得る。次に、多重選択モードに転換された状態で連続してドラッグを行うと、該当項目を選択することができる。
【００３３】
図４は、本発明の一実施形態によるタッチスクリーンを使用する端末機における多数の項目を選択する多重選択モードの手順を示す順序図である。
【００３４】
図４を参照すると、ステップ４０１で、制御部２４０は、項目が表示されるように制御する。
【００３５】
次に、ステップ４０３で、制御部２４０は、多重選択モード信号が発生するのかを確認する。
【００３６】
多重選択モード信号が発生したことを確認すると、ステップ４０５で、制御部２４０は、多重選択モードが実行されるように制御する。
【００３７】
多重選択モード実行されると、ステップ４０７で、制御部２４０は、タッチによる移動があるのかを確認する。
【００３８】
タッチによる移動が確認されると、ステップ４０９で、制御部２４０は、タッチによる移動が、選択表示が解除された項目を通るのかを確認する。タッチによる移動が選択解除された項目を通ると、ステップ４１１で、制御部２４０は、該当項目を再び選択表示させる。
【００３９】
次に、制御部２４０は、ステップ４１７に進行し、タッチによる移動が終了されるのかを確認する。タッチによる移動が終了すると、制御部２４０は、ステップ４１９に進行し、選択表示された項目が選択されたことを確認し、多重選択モードを終了する。タッチによる移動が終了していなければ、制御部２４０は、ステップ４０９に再び進入する。
【００４０】
また、ステップ４０９で、タッチによる移動が、選択表示が解除された項目を通らなければ、制御部２４０は、ステップ４１３に進行し、タッチによる移動が選択表示された項目を通るのかを確認する。タッチによる移動が選択表示された項目を通らなければ、制御部２４０は、ステップ４０９に再び進入する。タッチによる移動が選択表示された項目を通ると、ステップ４１５で、制御部２４０は、該当項目の選択表示を解除させる。次に、制御部２４０はステップ４１７以降の過程を行うように制御する。
【００４１】
多重選択モード信号は、表示された項目のうち、不特定の項目の長押し、即ち不特定項目がタッチされ、タッチされた時間が臨界値以上であれば発生し得る。次に、多重選択モードに転換された状態で、連続したタッチによる移動又は新たなタッチによる移動を行うと、該当項目が選択されるか選択解除され得る。更に、多重選択モード信号は、不特定項目が２回タッチされると発生し得る。
【００４２】
また、多重選択モード信号は、表示された項目を除いたタッチ領域を長押しするか、２回タッチすることで発生し得る。
【００４３】
更に、表示された項目のうちには多重選択モード信号を発生させる項目が含まれてもよく、該当項目をタッチすることで多重選択モードが直ちに実行されてもよい。
【００４４】
図５は、本発明の一実施形態によるマウスを使用する端末機における多数の項目を選択する多重選択モードの手順を示す順序図である。
【００４５】
図５を参照すると、ステップ５０１で、制御部２４０は、項目が表示されるように制御する。
【００４６】
次に、ステップ５０３で、制御部２４０は、多重選択モード信号が発生するのかを確認する。
【００４７】
多重選択モード信号が発生したことを確認すると、ステップ５０５で、制御部２４０は、多重選択モードが実行されるように制御する。
【００４８】
多重選択モード実行されると、ステップ５０７で、制御部２４０は、マウスドラッグがあるのかを確認する。
【００４９】
マウスドラッグが確認されると、ステップ５０９で、制御部２４０は、マウスドラッグが、選択表示が解除された項目を通るのかを確認する。マウスドラッグが選択解除された項目を通ると、ステップ５１１で、制御部２４０は、該当項目を再び選択表示させる。
【００５０】
次に、制御部２４０は、ステップ５１７に進行し、マウスドラッグが終了されるのかを確認する。マウスドラッグが終了すると、制御部２４０は、ステップ５１９に進行し、選択表示された項目が選択されたことを確認し、多重選択モードを終了する。マウスドラッグが終了していなければ、制御部２４０は、ステップ５０９に再び進入する。
【００５１】
また、ステップ５０９で、マウスドラッグが、選択表示が解除された項目を通らなければ、制御部２４０は、ステップ５１３に進行し、マウスドラッグが選択表示された項目を通るのかを確認する。マウスドラッグが選択表示された項目を通らなければ、制御部２４０は、ステップ５０９に再び進入する。マウスドラッグが選択表示された項目を通ると、ステップ５１５で、制御部２４０は、該当項目の選択表示を解除させる。次に、制御部２４０はステップ５１７以降の過程を行うように制御する。
【００５２】
多重選択モード信号は、表示された項目のうち、不特定の項目の長押し、即ちいずれか一つの項目で、マウスカーソルが臨界値時間以上押されることで発生し得る。次に、多重選択モードに転換された状態で、連続してドラッグを行うか、再び新たなドラッグを行うと、該当項目が選択されるか選択解除され得る。
【００５３】
追加的に、図３〜図５で示した実施形態において、多重選択モードが実行された状態でタッチによる移動及びマウスドラッグが画面の端に到達すると、画面がスクロールされて新たな画面を表示し、スクロールされた画面において、連続したタッチによる移動及びマウスドラッグで項目を選択してもよい。しかし、画面がスクロールされて表示される項目が存在しなければ、スクロールは発生しない。
【００５４】
図６及び図７は、本発明の他の実施形態によるタッチスクリーン又はマウスを使用する端末機における多数の項目を選択する連関選択モードの手順を示す順序図である。
【００５５】
図６を参照すると、ステップ６０１で、制御部２４０は、項目が表示されるように制御する。
【００５６】
次に、ステップ６０３で、制御部２４０は、不特定項目で連関選択モード信号が発生するのかを確認する。
【００５７】
不特定項目で連関選択モード信号が発生すると、ステップ６０５で、制御部２４０は、連関選択モードが実行されるように制御する。
【００５８】
連関選択モード実行されると、ステップ６０７で、制御部２４０は、不特定項目と同じ連関因子を有する項目を選択表示する。例えば、選択表示された項目は、同じファイル形式（画像ファイル、動画ファイル、テキストファイルなど）を有してもよい。
【００５９】
次に、ステップ６０９で、制御部２４０は、連関選択モードを終了する。
【００６０】
図７を参照すると、ステップ６１１で、制御部２４０は、項目が表示されるように制御する。
【００６１】
次に、ステップ６１３で、制御部２４０は、連関選択モード信号が発生するのかを確認する。
【００６２】
連関選択モード信号が発生すると、ステップ６１５で、制御部２４０は、連関選択モードが実行されるように制御する。
【００６３】
連関選択モードが実行されると、ステップ６１７で、制御部２４０は、項目を区分するメニュリストを表示するようにする。メニュリストは、ステップ６１１で表示された項目を分類し得るメニュを含むが、例えば、メニュは、画像、動画、テキストなどであってもよい。
【００６４】
次に、ステップ６１９で、制御部２４０は、メニュリストからメニュを選択することを確認し、ステップ６２１に進行して、選択されたメニュに該当する項目を表示する。
【００６５】
次に、ステップ６２３で、制御部２４０は、連関選択モードを終了する。
【００６６】
図８及び図９は、本発明の他の実施形態によるタッチスクリーン又はマウスを使用する端末機における多数の項目を選択する連関多重選択モードの手順を示す順序図である。
【００６７】
図８を参照すると、ステップ７０１で、制御部２４０は、項目が表示されるように制御する。
【００６８】
次に、ステップ７０３で、制御部２４０は、不特定項目で連関多重選択モード信号が発生するのかを確認する。
【００６９】
不特定項目で連関多重選択モード信号が発生すると、ステップ７０５で、制御部２４０は、連関多重選択モードが実行されるように制御する。
【００７０】
連関多重選択モードが実行されると、ステップ７０７で、制御部２４０は、不特定項目と同じ連関因子を有する項目を選択表示する。例えば、表示される項目は、同じファイル形式（画像ファイル、動画ファイル、テキストファイルなど）を有してもよい。
【００７１】
次に、制御部２４０は、ステップ７０９に進行し、タッチによる移動又はマウスドラッグがあるのかを確認する。タッチによる移動又はマウスドラッグは、ステップ７０３における不特定項目のタッチに続く連続したタッチによる移動であるか、マウスのクリックに続く連続したドラッグであってもよい。
【００７２】
図９を参照すると、タッチによる移動又はマウスドラッグが確認されると、ステップ７１１で、制御部２４０は、タッチによる移動、又はマウスドラッグが、選択表示が解除された項目を通るのかを確認する。タッチによる移動、又はマウスドラッグが、選択表示がされていない項目を通ると、ステップ７１３で、制御部２４０は、該当項目を再び選択表示させる。
【００７３】
次に、制御部２４０は、ステップ７１９に進行し、タッチによる移動又はマウスドラッグが終了されるのかを確認する。タッチによる移動又はマウスドラッグが終了すると、制御部２４０は、ステップ７２１に進行し、選択表示された項目が選択されたことを確認し、連関多重選択モードを終了する。タッチによる移動又はマウスドラッグが終了していなければ、制御部２４０は、ステップ７１１に再び進入する。
【００７４】
また、ステップ７１１で、タッチによる移動又はマウスドラッグが選択表示されていない項目を通らなければ、制御部２４０は、ステップ７１５に進行し、タッチによる移動又はマウスドラッグが選択表示された項目を通るのかを確認する。タッチによる移動又はマウスドラッグが選択表示された項目を通らなければ、制御部２４０は、ステップ７１１に再び進入する。タッチによる移動又はマウスドラッグが選択表示された項目を通ると、ステップ７１７で、制御部２４０は、該当項目の選択表示を解除させる。次に、制御部２４０は、ステップ７１９以降の過程を行うように制御する。
【００７５】
連関多重選択モード信号は、不特定項目の長押し、即ち不特定項目がタッチされ、タッチされた時間が臨界値以上であれば発生し得る。次に、連関多重選択モードに転換された状態で、連続したタッチによる移動又は新たなタッチによる移動を行うと、該当項目を選択することができる。また、連関多重選択モード信号は、表示された項目のうち、不特定の項目の長押し、即ち不特定項目で、マウスカーソルが臨界時間以上押されることで発生し得る。次に、連関多重選択モードに転換された状態で連続してドラッグを行うと、該当項目を選択することができる。
【００７６】
図１０は、図３で説明した多重選択モードの実施例を示す図である。
【００７７】
図１０を参照すると、項目が表示される。次に、項目のうち、不特定項目（ここでは項目５）で多重選択信号が発生すると、多重選択モードが実行される。多重選択信号は、臨界値時間以上不特定項目をタッチすることで発生し得る。多重選択モードにおいて、タッチに続いて連続したタッチによる移動があれば、タッチによる移動の経路にある項目が選択表示される。
【００７８】
図１１は、図４で説明した多重選択モードの実施例を示す図である。
【００７９】
図１１を参照すると、項目が表示される。次に、項目のうち、不特定項目（ここでは項目５）で多重選択信号が発生すると、多重選択モードが実行される。多重選択信号は、臨界値時間以上不特定項目をタッチすることで発生し得る。多重選択モードにおいて、タッチに続いて連続したタッチによる移動が発生し、タッチによる移動が通る項目のうち、選択表示が解除された項目（項目５、９、１０、１１、７、８）は選択表示される。また、タッチによる移動が通る項目のうち、選択表示された項目（項目７、５）は選択表示が解除される。
【００８０】
図１２は、図６で説明した連関選択モードの実施例を示す図である。
【００８１】
図１２を参照すると、項目が表示される。次に、項目のうち、不特定項目（ここでは項目２）で連関選択モード信号が発生すると、連関選択モードが実行される。連関選択モード信号は、臨界値時間以上不特定項目をタッチすることで発生し得る。連関多重選択モードが実行されると、項目２と同じファイル形式を有する項目（項目２、６、７、８、９、１１）が選択表示される。
【００８２】
図１３は、図７で説明した連関選択モードの実施例を示す図である。
【００８３】
図１３を参照すると、項目が表示される。次に、連関選択モード信号が発生すると、連関選択モードが実行される。連関選択モード信号は、臨界値時間以上不特定タッチ領域をタッチすることで発生し得る。連関多重選択モードは、項目を区分するメニュリストを表示する。メニュリストは、項目を分類し得るメニュを含むが、例えば、図示したように画像、動画、テキスト、その他などであってもよい。次に、メニュのうち、いずれか一つのメニュ（ここでは画像）が選択されると、画像に該当する項目（項目２、８、１１）が選択表示される。
【００８４】
図１４は、図８及び図９で説明した連関多重選択モードの実施例を示す図である。
【００８５】
図１４を参照すると、表示された項目のうち、不特定項目（ここでは項目２）で連関多重選択モード信号が発生すると、連関多重選択モードが実行される。連関多重選択モードが実行されると、項目２と同じファイル形式を有する項目（項目２、６、７、８、９、１１）が表示される。次に、項目２と同じファイル形式を有する項目のうちから選択又は選択解除が可能になる。タッチによる移動が発生し、タッチによる移動が通る項目のうち、選択表示が解除された項目（項目８、９、１１）は選択表示される。また、タッチによる移動が通る項目のうち、選択表示された項目（項目８、１１）は選択表示が解除される。
【００８６】
結論として、本発明による項目の選択方法は、多数の項目を容易に選択することができる。
【００８７】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【００８８】
２００    端末機
２１０    入力部
２２０    出力部
２３０    貯蔵部
２４０    制御部
【図１】
2012089115.tif 000003
【図２】
2012089115.tif 000004
【図３】
2012089115.tif 000005
【図４】
2012089115.tif 000006
【図５】
2012089115.tif 000007
【図６】
2012089115.tif 000008
【図７】
2012089115.tif 000009
【図８】
2012089115.tif 000010
【図９】
2012089115.tif 000011
【図１０】
2012089115.tif 000012
【図１１】
2012089115.tif 000013
【図１２】
2012089115.tif 000014
【図１３】
2012089115.tif 000015
【図１４】
2012089115.tif 000016